(57)【要約】【課題】装置間で信号を伝送するインターフェイスを備え、接続の検出に失敗した場合や接続が不安定になった場合に、ユーザーの作業を伴わずに対処できるようにする。【解決手段】プロジェクター１は、投射部１０、受信部１２１、及び接続制御部１１１を備える。受信部１２１は携帯端末２に接続され、携帯端末２から画像信号及び制御信号を受信する。投射部１０は、受信部１２１で受信された画像信号に基づいて画像を表示する。接続制御部１１１は、受信部１２１を、受信部１２１に携帯端末２が接続されていないと認識される第１の状態に遷移させた後に、受信部１２１に携帯端末２が接続されると認識される第２の状態に受信部を遷移させる再接続動作を行う。【選択図】図１
2015162853.tif 000002
【特許請求の範囲】
【請求項１】
画像を表示する表示装置であって、
外部装置に接続され、前記外部装置から画像信号及び制御信号を受信する接続部と、
前記接続部で受信された画像信号に基づいて画像を表示する表示部と、
前記接続部を、前記接続部に前記外部装置が接続されていないと認識される第１の状態に遷移させた後に、前記接続部に前記外部装置が接続されると認識される第２の状態に前記接続部を遷移させる再接続動作を行う制御部と、
を備えることを特徴とする表示装置。
【請求項２】
前記接続部は、前記画像信号を受信する信号受信部と、前記外部装置と前記制御信号を通信する装置間通信部と、前記外部装置に電力を供給する電力供給部とを有すること、を特徴とする請求項１記載の表示装置。
【請求項３】
前記信号受信部は、前記画像信号及び音声信号を受信すること、を特徴とする請求項２記載の表示装置。
【請求項４】
前記制御部は、前記再接続動作において、前記信号受信部及び前記装置間通信部の少なくとも一方を前記第１の状態及び前記第２の状態に遷移させること、を特徴とする請求項２または３記載の表示装置。
【請求項５】
前記制御部は、前記第１の状態で前記電力供給部による電力供給を停止させ、前記第２の状態で前記電力供給部に電力を供給させること、を特徴とする請求項２から４のいずれかに記載の表示装置。
【請求項６】
前記制御部は、前記第１の状態で前記信号受信部、前記装置間通信部、及び、前記電力供給部と前記外部装置との接続を電気的にオープンにすること、を特徴とする請求項５記載の表示装置。
【請求項７】
前記信号受信部及び前記装置間通信部の状態に基づいて、前記外部装置の接続を検知する検知部を備えること、を特徴とする請求項２から６のいずれかに記載の表示装置。
【請求項８】
前記制御部は、前記検知部の検出状態に基づいて前記再接続動作を実行すること、を特徴とする請求項１から７のいずれかに記載の表示装置。
【請求項９】
前記制御部は、動作開始時に前記再接続動作を実行すること、を特徴とする請求項１から８のいずれかに記載の表示装置。
【請求項１０】
前記制御部は、当該表示装置の電源が投入されて動作を開始する際に前記再接続動作を実行すること、を特徴とする請求項１から９のいずれかに記載の表示装置。
【請求項１１】
入力を検出する入力部を備え、
前記制御部は、前記入力部で検出された入力に従って前記再接続動作を実行すること、を特徴とする請求項１から１０のいずれかに記載の表示装置。
【請求項１２】
外部装置に接続される接続部を有し、前記接続部で受信する信号に基づいて画像を表示する表示装置の制御方法であって、
前記接続部を、前記接続部に前記外部装置が接続されていないと認識される第１の状態に遷移させた後に、前記接続部に前記外部装置が接続されると認識される第２の状態に前記接続部を遷移させる再接続動作を行うこと、
を備えることを特徴とする表示装置の制御方法。
【発明の詳細な説明】
【技術分野】
【０００１】
本発明は、表示装置、および、表示装置の制御方法に関する。
【背景技術】
【０００２】
従来、プロジェクター等の表示装置と電子機器とを接続して、電子機器から映像や音声を表示装置に伝送するシステムが知られている（例えば、特許文献１参照）。特許文献１記載のシステムでは、例えばＨＤＭＩ（登録商標）インターフェイスによって、画像データを送信する装置と画像データを受信する装置とを接続する。
【先行技術文献】
【特許文献】
【０００３】
【特許文献１】特開２０１３−２４３４７３号公報
【発明の概要】
【発明が解決しようとする課題】
【０００４】
上記従来のシステムのように、装置間で映像や画像を伝送するインターフェイスは高機能化が進んでいる。例えば、ＨＤＭＩインターフェイスはＨＰＤ（Hot Plug Detect）機能を有し、ソースデバイスとシンクデバイスが接続を自動的に検出できる。しかしながら、この種の高機能化されたインターフェイスにおいても、接続の検出に失敗したり、接続状態が不安定になったりすることがある。このような場合、ユーザーがいったん接続ケーブルを抜き、再び接続すると、接続が正常に検出されることが多いが、操作が煩雑であった。
本発明は上記事情に鑑みてなされたものであり、装置間で信号を伝送するインターフェイスを備え、接続の検出に失敗した場合や接続が不安定になった場合に、ユーザーの作業を伴わずに対処できるようにすることを目的とする。
【課題を解決するための手段】
【０００５】
上記目的を達成するため、本発明は、画像を表示する表示装置であって、外部装置に接続され、前記外部装置から画像信号及び制御信号を受信する接続部と、前記接続部で受信された画像信号に基づいて画像を表示する表示部と、前記接続部を、前記接続部に前記外部装置が接続されていないと認識される第１の状態に遷移させた後に、前記接続部に前記外部装置が接続されると認識される第２の状態に前記接続部を遷移させる再接続動作を行う制御部と、を備えることを特徴とする。
本発明によれば、外部装置から画像信号及び制御信号を受信する表示装置が再接続動作を実行して、接続の解消および再接続をした場合と同じ状態にすることができる。従って、例えば、ケーブルによって外部装置に有線接続され、接続を検出可能な装置では、ケーブルを挿抜した場合と同様の効果が得られる。これにより、接続の検出に失敗した場合や接続が不安定になった場合に、ユーザーの作業を伴わずに、正常な接続状態に復帰できる。
【０００６】
また、本発明は、上記表示装置において、前記接続部は、前記画像信号を受信する信号受信部と、前記外部装置と信号を通信する装置間通信部と、前記外部装置に電力を供給する電力供給部とを有すること、を特徴とする。
本発明によれば、外部装置から画像信号を受信し、他の信号を通信し、外部装置に電力を供給する機能を備える表示装置が、接続の検出に失敗した場合や接続が不安定になった場合に、速やかに正常な接続状態にすることができる。
【０００７】
また、本発明は、上記表示装置において、前記信号受信部は、前記画像信号及び音声信号を受信すること、を特徴とする。
本発明によれば、外部装置から画像信号及び音声信号を受信し、外部装置に電力を供給する機能を備える表示装置が、接続の検出に失敗した場合や接続が不安定になった場合に、速やかに正常な接続状態にすることができる。
【０００８】
また、本発明は、上記表示装置において、前記制御部は、前記再接続動作において、前記信号受信部及び前記装置間通信部の少なくとも一方を前記第１の状態及び前記第２の状態に遷移させること、を特徴とする。
本発明によれば、再接続動作により、接続の解消および再接続をした場合と同じ状態を、容易に作り出すことができる。
【０００９】
また、本発明は、上記表示装置において、前記制御部は、前記第１の状態で前記電力供給部による電力供給を停止させ、前記第２の状態で前記電力供給部に電力を供給させること、を特徴とする。
本発明によれば、電力の供給を停止および実行させることで、接続の解消および再接続をした場合と同じ状態を実現できる。
【００１０】
また、本発明は、上記表示装置において、前記制御部は、前記第１の状態で前記信号受信部、前記装置間通信部、及び、前記電力供給部と前記外部装置との接続を電気的にオープンにすること、を特徴とする。
本発明によれば、外部装置に有線接続された状態で、接続の解消および再接続をした場合と同じ状態を確実に実現できる。
【００１１】
また、本発明は、上記表示装置において、前記信号受信部及び前記装置間通信部の状態に基づいて、前記外部装置の接続を検知する検知部を備えること、を特徴とする請求項２から５のいずれかに記載の表示装置。
本発明によれば、信号受信部に外部装置が接続された場合に必要な再接続動作を行い、不要な再接続動作を実行せずに済むので、効率化を図ることができる。
【００１２】
また、本発明は、上記表示装置において、前記制御部は、前記検知部の検出状態に基づいて前記再接続動作を実行すること、を特徴とする。
本発明によれば、外部装置に対する接続状態を検出して、必要に応じて再接続動作を行うことができる。
【００１３】
また、本発明は、上記表示装置において、前記制御部は、動作開始時に前記再接続動作を実行すること、を特徴とする。
本発明によれば、動作開始時に、外部装置への接続をいったん切断して再接続することで、正常な接続状態にすることができる。
【００１４】
また、本発明は、上記表示装置において、前記制御部は、当該表示装置の電源が投入されて動作を開始する際に前記再接続動作を実行すること、を特徴とする。
本発明によれば、電源投入時に、外部装置への接続をいったん切断して再接続することで、正常な接続状態にすることができる。
【００１５】
また、本発明は、上記表示装置において、入力を検出する入力部を備え、前記制御部は、前記入力部で検出された入力に従って前記再接続動作を実行すること、を特徴とする。
本発明によれば、入力に応じて再接続動作を実行して、外部装置との正常な接続状態を実現できる。
【００１６】
また、上記目的を達成するため、本発明は、外部装置に接続される接続部を有し、前記接続部で受信する信号に基づいて画像を表示する表示装置の制御方法であって、前記接続部を、前記接続部に前記外部装置が接続されていないと認識される第１の状態に遷移させた後に、前記接続部に前記外部装置が接続されると認識される第２の状態に前記接続部を遷移させる再接続動作を行うこと、を備えることを特徴とする。
本発明によれば、外部装置から画像信号及び制御信号を受信する表示装置が再接続動作を実行して、接続の解消および再接続をした場合と同じ状態にすることができる。従って、例えば、ケーブルによって外部装置に有線接続され、接続を検出可能な装置では、ケーブルを挿抜した場合と同様の効果が得られる。これにより、接続の検出に失敗した場合や接続が不安定になった場合に、ユーザーの作業を伴わずに、正常な接続状態に復帰できる。
【発明の効果】
【００１７】
本発明によれば、ユーザーが手動で接続の解消および再接続をした場合と同様の状態を作り出し、正常な接続状態にすることができる。
【図面の簡単な説明】
【００１８】
【図１】プロジェクションシステムの構成を示すブロック図である。
【図２】プロジェクターと携帯端末の接続状態を示す説明図である。
【図３】受信部の構成を詳細に示す説明図である。
【図４】プロジェクターの動作を示すフローチャートである。
【発明を実施するための形態】
【００１９】
以下、図面を参照しながら本発明を適用した実施形態について説明する。
図１は、実施形態のプロジェクションシステム３の構成を示すブロック図である。図１に示すように，プロジェクションシステム３は、プロジェクター１と、携帯端末２とを接続して構成される。
【００２０】
プロジェクター１は、パーソナルコンピューターや各種映像プレーヤー等の外部の画像供給装置に接続され、画像供給装置から入力される入力画像データに基づく画像を投射対象物に投射して表示する表示装置である。画像供給装置としては、ビデオ再生装置、ＤＶＤ（Digital Versatile Disk）再生装置、テレビチューナー装置、ＣＡＴＶ（Cable television）のセットトップボックス、ビデオゲーム装置等の映像出力装置、パーソナルコンピューター等が挙げられる。本実施形態では携帯端末２がプロジェクター１に対して画像を供給する画像供給装置として機能する。プロジェクター１と携帯端末２は、ケーブル３０を介して有線接続される。
また、本実施形態ではプロジェクター１がスクリーンＳＣに画像を投射する例を挙げるが、投射対象物は、壁面などの平面であってもよいし、曲面を有する立体物であってもよい。
【００２１】
プロジェクター１は、光学的な画像の形成を行う投射部１０（表示部）と、投射部１０により表示する画像を電気的に処理する画像処理系とを備える。
まず、投射部１０について説明する。
投射部１０は、光源部１１、光変調装置１２及び投射光学系１３を備える。
光源部１１は、キセノンランプや超高圧水銀ランプ等のランプ、或いは、ＬＥＤ（Light Emitting Diode）やレーザー光源等の固体光源からなる光源を備える。光源部１１には光源駆動部１３０が接続され、光源駆動部１３０により光源を点灯させる電力やパルス信号等が供給される。
光源部１１は、光源が発した光を光変調装置１２に導くリフレクター及び補助リフレクターを備えてもよい。また、光源部１１は、投射光の光学特性を高めるためのレンズ群（不図示）、偏光板、或いは光源が発した光を光変調装置１２に至る経路上で低減させる調光素子等を備えてもよい。また、光源が発した光をＲ、Ｇ、Ｂの３つの色光に分ける光学部品を光源部１１に設けてもよい。
【００２２】
光変調装置１２は、光源部１１が発する光を分光したＲ、Ｇ、Ｂの３つの色光を変調する。光変調装置１２は、例えば、ＲＧＢの各色に対応した３枚の透過型または反射型の液晶ライトバルブを用いた方式、３枚のデジタルミラーデバイスを用いた方式等により構成される。また、光変調装置１２は、光源が発した白色光に含まれる光のうちＲＧＢの光を色順次に透過するカラーホイールと、１枚のデジタルミラーデバイス（ＤＭＤ）とを組み合わせたＤＭＤ方式を採用してもよい。本実施形態では、Ｒ、Ｇ、Ｂの３つの色光に対応する３つの液晶ライトバルブを備える光変調装置１２を例示する。この場合、光変調装置１２は、複数の画素をマトリクス状に配置した反射型液晶パネルを備え、これら複数の画素により画像を形成し、光源が発した光を変調する。光変調装置１２は、後述する光変調装置駆動部１３３によって駆動され、マトリクス状に配置された各画素における光の透過率を変化させることにより、画像を形成する。
【００２３】
投射光学系１３は、光変調装置１２により変調された光を集光及び合成するレンズ群を備え、カラーの画像光をスクリーンＳＣに投射する。投射光学系１３は、投射する画像の拡大・縮小及び焦点の調整を行うズームレンズを含むレンズ群、レンズを動かしてズーム及びフォーカスを調整する機構等を備えてもよい。また、プロジェクター１は、フォーカス調整機構やズーム機構を駆動する投射光学系駆動部を備えてもよい。
【００２４】
また、プロジェクター１の本体は、プロジェクター１の動作を制御して画像信号を電気的に処理する画像処理系を備える。画像処理系は、制御部１１０、インターフェイス（Ｉ／Ｆ）部１０１、記憶部１０２、入力部１０３、光源駆動部１３０、画像処理部１３１、及び、光変調装置駆動部１３３を備える。
制御部１１０は、図示しないＣＰＵ（Central Processing Unit）、ＲＯＭ（Read Only Memory）、ＲＡＭ（Random Access Memory）等を備え、ＣＰＵが制御プログラムを実行することにより、プロジェクター１の画像処理系を制御する。
【００２５】
インターフェイス部１０１は、外部の画像供給装置（外部装置）に接続される。インターフェイス部１０１は、画像供給装置からデジタル画像データまたはアナログ画像信号が入力される種々のコネクターやインターフェイス回路を備える。
本実施形態のインターフェイス部１０１は、受信部１２１（接続部）、インターフェイス１２５、１２７を備える。受信部１２１、インターフェイス１２５、１２７は、画像供給装置から入力される画像信号を検出し、受信し、デコードしてデジタル画像データを生成し、画像処理部１３１に出力する。
【００２６】
受信部１２１は、ＭＨＬ（登録商標）、及びＨＤＭＩ（登録商標）規格に対応するインターフェイスである。受信部１２１は、コネクター１２２、及び、ＨＤＭＩ規格に対応したコネクター１２３を備える。受信部１２１は、コネクター１２２にケーブル３０を介して携帯端末２が接続された場合に、携帯端末２から送信されるＭＨＬ形式の画像信号を受信し、制御信号を送受信し、携帯端末２に所定電圧の電力を供給する。また、受信部１２１は、コネクター１２３にケーブルを介して画像供給装置が接続された場合、この画像供給装置から送信される画像信号を受信する。受信部１２１の機能については後述する。
【００２７】
インターフェイス１２５、１２７は、コネクター１２６、１２８を備え、ケーブル（図示略）を介して画像供給装置（図示略）に接続可能である。インターフェイス１２５、１２７は、通信用インターフェイスや画像入力インターフェイス規格に準拠したコネクター１２６、１２８及びインターフェイス回路を備える。通信用インターフェイスは、例えば、有線ＬＡＮ、ＩＥＥＥ１３９４、ＵＳＢ等が挙げられる。画像入力インターフェイスは、例えば、ＤｉｓｐｌａｙＰｏｒｔ（商標）、ＣｏａＸＰｒｅｓｓ（商標）等が挙げられる。また、インターフェイス部１０１は、無線ＬＡＮやＢｌｕｅｔｏｏｔｈ（登録商標）等に準拠した無線通信インターフェイスを備えてもよい。
インターフェイス部１０１は、制御部１１０の制御に従って受信部１２１、インターフェイス１２５、１２７からいずれかの入力系統を選択する。インターフェイス部１０１は、選択した入力系統に入力される画像データを画像処理部１３１に出力する。インターフェイス部１０１は、画像データとともに音声データを出力してもよい。
【００２８】
また、受信部１２１には、接続検知部１０５（検知部）が接続されている。接続検知部１０５は、受信部１２１への画像信号、制御信号の入力状態に基づき、受信部１２１に携帯端末２または他の画像供給装置が接続されたことを検知する。接続検知部１０５は制御部１１０に接続され、接続検知部１０５の検知状態を制御部１１０が検出できる。
【００２９】
光源駆動部１３０は、電源部１０７から供給される電力に基づき、制御部１１０の制御に従って光源部１１に電力やパルス信号を供給する。光源部１１の光源がランプである場合、光源駆動部１３０は光源部１１に対する供給電圧及び電流を制御して、ランプを発光させる。ここで、光源部１１の光源が放電管ランプである場合、光源部１１はバラストとして機能する。
光源部１１の光源が固体光源である場合、光源駆動部１３０は、光源部１１に対して直流電流を供給するとともに、制御部１１０の制御に従って、固体光源の輝度をＰＷＭ制御するためのパルス信号を生成して出力する。
また、光源駆動部１３０は、制御部１１０の制御に従って光源部１１を点灯、消灯させる。
【００３０】
電源部１０７は、プロジェクター１の外部の商用電源（例えば、１００〜２４０Ｖの交流電源）に接続され、プロジェクター１の各部に電力を供給する。電源部１０７は、例えば、プロジェクター１の画像処理系のＩＣを動作させる３．３Ｖ、５Ｖ、１２Ｖ等の直流電流を出力する。また、電源部１０７は、光源駆動部１３０に光源を点灯させる電力を供給する。
【００３１】
画像処理部１３１は、制御部１１０の制御に従って、インターフェイス部１０１から入力される画像データを処理し、光変調装置駆動部１３３に画像信号を出力する。画像処理部１３１が実行する処理は、例えば、解像度変換処理、フレームレート変換処理、３Ｄ画像変換処理、歪み補正処理、ズーム処理、色調補正処理、輝度補正処理等である。
光変調装置駆動部１３３は、画像処理部１３１から入力される画像信号に基づいて、光変調装置１２の液晶ライトバルブに画像を描画する。
【００３２】
制御部１１０には、記憶部１０２及び入力部１０３が接続される。
記憶部１０２は、制御部１１０が備えるＣＰＵ（図示略）が実行するプログラムや、制御部１１０により処理されるデータ等を不揮発的に記憶する。例えば、記憶部１０２は、画像処理部１３１が実行する各種処理の設定値、制御部１１０や画像処理部１３１が参照するテーブル等を記憶する。また、記憶部１０２に画像データを記憶し、この画像データを制御部１１０が読み出してスクリーンＳＣに投射させてもよい。
【００３３】
入力部１０３は、プロジェクター１を操作するリモコン（図示略）や、プロジェクター１の本体に設けられる操作パネル（図示略）の操作を検出する。入力部１０３は、リモコンが送信する無線信号を受信してデコードし、リモコンにおける操作を検出する。また、入力部１０３は、操作パネルのボタン操作を検知する。入力部１０３は、リモコンや操作パネルの操作内容に対応する操作データを生成して、制御部１１０に出力する。
また、入力部１０３は、制御部１１０の制御に従い、プロジェクター１の動作状態や設定状態に応じて操作パネルのインジケーターランプの点灯を制御する。
【００３４】
制御部１１０は、接続制御部１１１（制御部）、及び、投射制御部１１２を備え、プロジェクター１の動作を制御する。
接続制御部１１１は、インターフェイス部１０１を制御して、受信部１２１、インターフェイス１２５、１２７から画像入力を受け付ける入力系統を選択する。インターフェイス部１０１では、接続制御部１１１により選択された入力系統から画像処理部１３１に画像データが出力される。
また、接続制御部１１１は、コネクター１２２、１２３の接続検出機能を有する。接続検出機能により、接続制御部１１１は、接続検知部１０５の検知状態に基づいて、受信部１２１に画像供給装置が接続されたことを検出する。この場合、接続制御部１１１は、受信部１２１に接続された画像供給装置との間で制御データを送受信してネゴシエーション（ハンドシェイク）を実行する。ネゴシエーションで、接続制御部１１１及び画像供給装置は、ベンダーや機器の種類を示すデータ、送受信可能なデジタル画像データの解像度、フレームレートに関するデータ等を送受信する。その後、接続制御部１１１は、入力系統として受信部１２１を選択して、画像供給装置から受信部１２１に入力される画像データを画像処理部１３１に出力させる。
【００３５】
接続制御部１１１は、接続検知部１０５の検知状態に基づいて受信部１２１に画像供給装置が接続された場合に、この接続をいったん切断し、再接続する再接続動作を実行できる。再接続動作については後述する。
【００３６】
投射制御部１１２は、入力部１０３から入力される操作データに基づき、画像を投射する動作を制御する。すなわち、投射制御部１１２は、光源駆動部１３０、光変調装置駆動部１３３及び画像処理部１３１を制御して、投射部１０によりスクリーンＳＣに画像を投射させる。
【００３７】
一方、携帯端末２は、制御部３１、インターフェイス部３２、表示部３５、入力部３７及び記憶部３８を備え、これら各部がバス３９により相互接続される。
携帯端末２は、小型の本体に各部を収容した携帯型の端末装置であり、具体的には、映像や音声を再生するポータブルプレイヤー、スマートフォンや携帯型電話機を含む各種の携帯型通信端末装置を含む。携帯端末２は、音声出力用のスピーカーを備えてもよい。また、携帯端末２が通信端末である場合、図１に示す構成に加え、音声入力用のマイク、マイクにより入力した音声信号及びスピーカーに出力する音声信号を音声処理する音声処理部、データを無線信号により送受信する通信モジュール等を備えてもよい。
【００３８】
携帯端末２は、液晶表示パネルや有機ＥＬパネル等の表示パネルに、タッチ操作を検出するタッチセンサーを組み付けたタッチパネル３６を備えている。タッチパネル３６には、静電容量式、超音波式、感圧式、抵抗膜式、光検知式等、各種のタッチセンサーを用いることができる。
表示部３５は、制御部３１から入力される表示用のデータに基づき、タッチパネル３６に画像を表示する。また、入力部３７は、タッチパネル３６に対するタッチ操作を検出して、操作位置を示すデータを制御部３１に出力する。
【００３９】
インターフェイス部３２は、コネクター３３を備え、コネクター３３に接続されるケーブルを介して、外部装置に画像データを送信可能である。本実施形態のインターフェイス部３２は、ＭＨＬ規格に対応するインターフェイスであり、一般的にはMicroUSBコネクター３３を備える。インターフェイス部３２、コネクター３３にケーブル３０を介してプロジェクター１が接続された場合に、プロジェクター１とネゴシエーションを実行し、画像データをエンコードして画像信号を生成し、コネクター３３から出力する。
【００４０】
記憶部３８は、半導体記憶素子等によりプログラムやデータを不揮発的に記憶する。記憶部３８は、制御部３１のＣＰＵが実行するアプリケーションプログラムや、ＣＰＵによって処理されるデータを記憶する。本実施形態では、記憶部３８に、画像データ３８ａが記憶される。画像データ３８ａは、映像（動画像）データであり、制御部３１の制御によって画像データ３８ａを再生してタッチパネル３６に表示することができる。また、制御部３１は、後述するように画像データ３８ａを外部装置に送信できる。
【００４１】
制御部３１は、図示しないＣＰＵ、ＲＯＭ、ＲＡＭ等を備え、ＲＯＭに記憶した制御プログラムを実行して、携帯端末２を制御する。制御部３１は、入力部３７から入力されるデータに従って、記憶部３８に記憶したアプリケーションプログラムを実行する。制御部３１は、プログラムの実行結果やタッチパネル３６における入力内容に基づき、画面表示用のデータを生成して、表示部３５に出力する。
【００４２】
また、制御部３１は、タッチパネル３６の操作に従って、記憶部３８に記憶された画像データ３８ａの送信が指示された場合に、画像データ３８ａを読み出してインターフェイス部３２により送信する。
【００４３】
図２は、プロジェクター１と外部装置の接続状態を示す説明図である。図２（Ａ）はプロジェクター１と携帯端末２とをＭＨＬ規格に従って接続した例を示し、図２（Ｂ）はプロジェクター１にＨＤＭＩ規格に従って外部装置を接続した例を示す。
プロジェクター１が有するコネクター１２２及び携帯端末２のコネクター３３はＭＨＬ規格を採用する。インターフェイス部３２は、ＭＨＬトランスミッターとして機能し、ＭＨＬによる画像データの送出を行う。また、受信部１２１は、ＭＨＬレシーバーとして機能する。コネクター３３とコネクター１２２とを接続するケーブル３０は、図２（Ａ）に示すように、ＭＨＬ規格に従って５本の伝送線を有する。詳細には、ＴＭＤＳ（Transition Minimized Differential Signaling）差動線（ＴＭＤＳクロック/データ＋線、ＴＭＤＳクロック/データ−線）、制御信号を伝送するＣＢＵＳ、電力を供給するＶＢＵＳ、及び、接地線である。ＣＢＵＳはケーブル３０を介した画像信号の送受信に関し、プロジェクター１と携帯端末２とが相互に制御信号を送受信するバスである。また、ＶＢＵＳはプロジェクター１から携帯端末２に対し、例えば５Ｖの直流電流を供給する電力線である。
【００４４】
また、受信部１２１は、ＨＤＭＩレシーバーとしても機能し、ＨＤＭＩ規格に適合するコネクター及びインターフェイス回路を備える外部装置に接続できる。図２（Ｂ）は、ＨＤＭＩ規格に適合するインターフェイス部３２ａ及びコネクター３３ａを有する外部機器と受信部１２１のコネクター１２３とをケーブル４０で接続した例を示す。
ケーブル４０は、ＨＤＭＩ規格で定められる伝送線を有する。詳細には、ＴＭＤＳデータチャネル０、１、２の差動データ線及びシールド（ＴＭＤＳデータ＋線、ＴＭＤＳデータ−線、ＴＭＤＳデータシールド）と、ＴＭＤＳクロック（ＴＭＤＳクロック＋線、ＴＭＤＳクロック−線、ＴＭＤＳクロックシールド）を有する。また、ケーブル４０は、ＣＥＣ（Consumer Electronics Control）線、ＨＥＣ（HDMI Ethernet（登録商標） Channel）線、ＤＤＣ（Display Data Channel）線を有する。より詳細には、ＨＥＣ＋線、ＨＥＣ−線、ＤＤＣクロック線、ＤＤＣデータ線、ＨＥＣシールド線等である。また、ケーブル４０は、プロジェクター１から外部装置に対し、例えば５Ｖの直流電流を供給する電力線を有する。ＨＥＣ＋線はホットプラグ検出線としても利用され、ＨＥＣシールド線はＤＤＣ／ＣＥＣの接地線としても利用される。
受信部１２１は、ケーブル４０を介して、ＨＤＭＩソース装置として機能する外部装置に接続された場合に、ＨＤＭＩシンク装置として動作し、画像データを受信する。
【００４５】
図３は、受信部１２１の構成を詳細に示す説明図である。
この図３には、コネクター１２２と受信部１２１の内部回路との接続状態を示す。
受信部１２１は、ＴＭＤＳクロック/データ＋線、及びＴＭＤＳクロック/データ−線を介して画像データを受信する差動信号受信部１５１を備える。差動信号受信部１５１は、ＴＭＤＳクロック/データ線１５５によってコネクター１２２のＴＭＤＳクロック/データ＋端子、及びＴＭＤＳクロック/データ−端子に接続される。なお、ＴＭＤＳクロック/データ線１５５は、実際にはＴＭＤＳクロック/データ＋とＴＭＤＳクロック/データ−の２つの線で構成されるが、理解の便宜のため図３には１本の線で示す。差動信号受信部１５１は、ＴＭＤＳクロック/データ線１５５で受信した画像信号をデコードして画像処理部１３１に出力する。
ＴＭＤＳクロック/データ線１５５には、制御部１１０の制御により開閉されるスイッチ部１６１が設けられる。スイッチ部１６１は、一端を終端用電源に接続されたＴＭＤＳ終端抵抗１６４の他端と、差動信号受信部１５１とコネクター１２２との間のＴＭＤＳクロック/データ線１５５とを接続する。スイッチ部１６１が開の状態では、ＴＭＤＳクロック/データ線１５５の抵抗１６４を介して接続された終端は無効となる。このとき、電気的にはコネクター１２２のＴＭＤＳデータ＋端子、及びＴＭＤＳデータ−端子はハイインピーダンス状態となる。スイッチ部１６１が閉じた状態では、ＴＭＤＳクロック/データ線１５５の終端が有効となり、画像信号を受信できる。
【００４６】
受信部１２１は、制御信号を送受信する装置間通信部１５２を備える。装置間通信部１５２は、コネクター１２２のＣＢＵＳ端子にＣＢＵＳ１５６を介して接続される。装置間通信部１５２は、ＣＢＵＳ１５６と制御部１１０との間で、制御信号の送受信及びデコード／エンコードを行う。
差動信号受信部１５１及び装置間通信部１５２には、接続検知部１０５が接続される。接続検知部１０５は、差動信号受信部１５１及び装置間通信部１５２が、ＭＨＬトランスミッターに接続されたか否かを検知し、検知状態を制御部１１０に出力する。これにより、制御部１１０は、コネクター１２２へのＭＨＬトランスミッターの接続を検出する。
ＣＢＵＳ１５６には、制御部１１０の制御により開閉されるスイッチ部１６２が設けられる。スイッチ部１６２が開の状態では、装置間通信部１５２とコネクター１２２とは電気的にオープンであり、コネクター１２２のＣＢＵＳ端子はハイインピーダンス状態となる。スイッチ部１６２が閉じた状態では、装置間通信部１５２はコネクター１２２に接続され、制御信号を送受信できる。
【００４７】
また、受信部１２１は、電力供給部１５３を備える。電力供給部１５３は、電源部１０７から供給される電力に基づき、ＶＢＵＳ１５７からコネクター１２２に、例えば直流５Ｖの電流を供給する。ＶＢＵＳ１５７には、制御部１１０の制御により開閉されるスイッチ部１６３が設けられる。スイッチ部１６３が開の状態では、電力供給部１５３とコネクター１２２とが電気的に絶縁され、コネクター１２２のＶＢＵＳ端子は接地される。スイッチ部１６３が閉じた状態では、電力供給部１５３とコネクター１２２が電気的に接続され、直流電流が供給される。
【００４８】
周知のように、ＴＭＤＳ（遷移時間最短差動信号伝送方式）は、ＨＤＭＩ規格とＭＨＬ規格に共通して採用される伝送方式であり、受信部１２１は、ＨＤＭＩとＭＨＬの両規格に対応するＭＨＬ／ＨＤＭＩレシーバーＩＣとして実装できる。また、受信部１２１を、インターフェイス１２５、１２７や、制御部１１０とともにＳｏＣ（System-on-a-chip）として構成し、受信部１２１をＭＨＬ／ＨＤＭＩレシーバーコアとして実装してもよい。例えば、差動信号受信部１５１及び装置間通信部１５２を１つのＩＣまたは１つのコアとして実装できる。この場合、スイッチ部１６１、１６２は、ＩＣまたはコア内部のスイッチとなる。また、電力供給部１５３を上記ＩＣまたはコアとは別に設ける場合、スイッチ部１６３は、制御部１１０により制御される独立したスイッチとすればよい。スイッチ部１６１、１６２、１６３はスイッチング素子、スイッチング素子を含む回路またはスイッチング素子と同様に機能する回路で構成することができ、物理的なスイッチとしてもよい。
【００４９】
制御部１１０が有する接続制御部１１１は、接続検知部１０５の検知状態に基づいて、受信部１２１を制御し、受信部１２１の動作モード（ＨＤＭＩモードとＭＨＬモード）の切り替えを行う。すなわち、コネクター１２２にＭＨＬトランスミッターが接続された場合は、受信部１２１をＭＨＬモードで動作させ、コネクター１２３にＨＤＭＩソース装置が接続された場合は受信部１２１をＨＤＭＩモードで動作させる。この切り替えは、接続制御部１１１が、コネクター１２２、１２３の接続検出を行う機能によって、実現可能である。
【００５０】
また、携帯端末２は、ケーブル３０を介してプロジェクター１に接続された場合に、ＣＢＵＳ及びＶＢＵＳの電圧値に基づいて接続を検出する。携帯端末２は、インターフェイス部３２によって接続を検出し、制御部３１が、接続検出時の動作を実行する。
これにより、ケーブル３０で接続されたプロジェクター１と携帯端末２とが、相互に制御信号を送受信して、ＭＨＬのネゴシエーションを実行し、画像データを送受信可能な状態に移行する。
このネゴシエーションでは、ＭＨＬ規格で定められたプロトコルに従って、プロジェクター１と携帯端末２との間で、ベンダーや機器の種類を示すデータ、送受信可能なデジタル画像データの解像度、フレームレートに関するデータ等が送受信される。接続制御部１１１及び制御部３１は、ネゴシエーションの実行が可能であるが、ネゴシエーションを受信部１２１とインターフェイス部３２の機能により実行してもよい。
【００５１】
接続制御部１１１は、ケーブル３０により携帯端末２がコネクター１２２に接続された状態で、この接続をいったん切断させ、再接続させる動作（再接続動作）を実行できる。
具体的には、接続制御部１１１は、スイッチ部１６１、１６２、１６３を開かせて、ＴＭＤＳクロック/データ線１５５、ＣＢＵＳ１５６、及びＶＢＵＳ１５７をオープンな状態にする。この状態を第１の状態とする。第１の状態では、受信部１２１は、ケーブル３０によって携帯端末２に接続されているが、信号線（ＴＭＤＳクロック/データ線１５５、ＣＢＵＳ１５６）及び電力線（ＶＢＵＳ１５７）が切断されている。従って、差動信号受信部１５１、装置間通信部１５２及び電力供給部１５３は、携帯端末２が接続されていない場合と同じ状態になる。
その後、接続制御部１１１は、スイッチ部１６１、１６２、１６３を閉に切り替えさせて、ＴＭＤＳクロック/データ線１５５、ＣＢＵＳ１５６、及びＶＢＵＳ１５７を接続状態にする。この状態を第２の状態とする。第２の状態では、受信部１２１と携帯端末２とが信号線（ＴＭＤＳクロック/データ線１５５、ＣＢＵＳ１５６）及び電力線（ＶＢＵＳ１５７）で接続される。
【００５２】
接続制御部１１１が再接続動作を行うと、携帯端末２では、プロジェクター１がいったん切り離され、再び接続された場合と同様に動作する。接続制御部１１１が受信部１２１を第１の状態に移行させると、制御部３１は、ケーブル３０のＣＢＵＳを介した制御信号の送受信、及び、ＶＢＵＳによる電力供給がなくなることから、プロジェクター１が切り離されたと認識する。制御部３１は、プロジェクター１が接続されていないので、インターフェイス部３２に接続された機器に関するデータを破棄し、インターフェイス部３２に何らかの機器が接続されるのを待つ待機状態に移行する。
その後、接続制御部１１１が受信部１２１を第２の状態に移行させると、インターフェイス部３２のＣＢＵＳがプロジェクター１に接続され、ＶＢＵＳから電流が供給される。制御部３１は、ＣＢＵＳ及びＶＢＵＳの少なくとも一方の状態（例えば、電圧）に基づき、インターフェイス部３２が新たにプロジェクター１に接続されたことを検出する。制御部３１は、インターフェイス部３２により、ケーブル３０を介して接続された機器、すなわちプロジェクター１とネゴシエーションを行う。
【００５３】
このように、接続制御部１１１が再接続動作を行うと、プロジェクター１と携帯端末２との接続がいったん解除され、再び接続される。この動作は、プロジェクションシステム３を使用するユーザーがケーブル３０を取り外し、その後、再びケーブル３０を接続した場合と同じ作用効果が得られる。
ケーブル３０の接続の解除と再接続を行うと、プロジェクションシステム３の動作の問題を解消できることが多い。具体的には、プロジェクター１と携帯端末２との間のネゴシエーションが不完全であった場合には、伝送される画像の解像度等の属性の不一致、クロックのずれ等が起き、正常に画像データを送受信できなくなることがある。このような状態は、プロジェクター１または携帯端末２が故障していなくても発生することがあり、ネゴシエーションを最初からやり直すことが、正常な状態に復帰させるために有効である。例えば、プロジェクター１の電源がオフの状態でケーブル３０が接続されていて、その後、プロジェクター１の電源がオンに投入された場合に、不完全なネゴシエーションが行われることがある。
そこで、接続制御部１１１は、プロジェクター１の電源がオンにされた場合に、再接続動作を実行する。これにより、電源オンの時点で既にケーブル３０が接続されていても、ネゴシエーションのやり直しをすることで、完全なネゴシエーションを実行できる。
【００５４】
図４は、プロジェクター１の動作を示すフローチャートであり、特に、プロジェクター１の電源投入後の制御部１１０の動作を示す。
入力部１０３が操作パネルまたはリモコンの操作によって、プロジェクター１の電源オンの指示を検出し、プロジェクター１の電源が投入されると、制御部１１０は、起動シーケンスを開始する。すなわち、制御部１１０が電源部１０７を起動させ、電源部１０７からプロジェクター１の各部に電力が供給される（ステップＳ１１）。制御部１１０は、起動シーケンスを実行して、受信部１２１を初期化する（ステップＳ１２）。
【００５５】
プロジェクター１の起動シーケンスの実行後、または、起動シーケンスの実行中であって受信部１２１の初期化終了後、接続制御部１１１は、接続検知部１０５の検知状態に基づいて、受信部１２１の接続状態を検出する（ステップＳ１３）。
接続制御部１１１は、受信部１２１がコネクター１２３を介して外部装置に接続されているか否かを判定する（ステップＳ１４）。上述のように、受信部１２１はＨＤＭＩとＭＨＬの両規格に準拠するレシーバーであり、接続検知部１０５の検知状態をもとに、ＭＨＬで接続されているか、ＨＤＭＩで接続されているか、何も接続されていないかが区別できる。
【００５６】
受信部１２１に、ＨＤＭＩで外部装置が接続されていると判定した場合（ステップＳ１４；Ｙｅｓ）、制御部１１０は、受信部１２１以外の、投射部１０、及び、プロジェクター１の画像処理系の初期化などのシステムセットアップを実行して、投射部１０を介して、入力された画像信号を投射可能な状態にした上で（ステップＳ１５）、接続制御部１１１は、受信部１２１を制御して、受信部１２１をＨＤＭＩモードに切り替えさせる（ステップＳ１６）。その後、受信部１２１は、コネクター１２３から入力される画像信号を受信して、画像データを画像処理部１３１に出力する（ステップＳ１７）。投射制御部１１２は、投射部１０及び画像処理部１３１を制御して、受信部１２１から画像処理部１３１に入力される画像データに基づき、投射部１０によって画像を投射させる。接続制御部１１１は本処理を終了する。
【００５７】
一方、受信部１２１に、ＨＤＭＩ規格に準拠した外部装置が接続されていないと判定した場合（ステップＳ１４；Ｎｏ）、接続制御部１１１は、受信部１２１がコネクター１２２を介して外部装置に接続されているか否かを判定する（ステップＳ１８）。すなわち、受信部１２１がＭＨＬで外部装置に接続されているか否かを判定する。
ここで、受信部１２１に外部装置が接続されていないと判定した場合（ステップＳ１８；Ｎｏ）、ステップＳ１５と同様にシステムセットアップのみ実行し（ステップＳ１９）、本処理を終了する。
【００５８】
受信部１２１に、ＭＨＬで外部装置が接続されていると判定した場合（ステップＳ１８；Ｙｅｓ）、接続制御部１１１は、スイッチ部１６３を閉状態にし、ＶＢＵＳ１５７への直流電流の供給を開始した上で（ステップＳ２０）、ステップＳ１５と同様にシステムセットアップを実行し、投射部１０を介して、入力された画像信号を投射可能な状態にする（ステップＳ２１）。その後、接続制御部１１１は、受信部１２１の再接続動作を開始する（ステップＳ２２）。この再接続動作で、接続制御部１１１は、スイッチ部１６１、１６２を開状態にして、ＴＭＤＳクロック/データ線１５５及びＣＢＵＳ１５６の導通をオープンにする（ステップＳ２３）。このステップＳ２３で、スイッチ部１６３も開状態にしてもよい。
スイッチ部１６１、１６２を開状態にしてから、予め設定された時間が経過した後、接続制御部１１１は、スイッチ部１６１、１６２を閉状態に切り替えさせる（ステップＳ２４）。ステップＳ２３でスイッチ部１６３を開状態にしていた場合は、ステップＳ２４でスイッチ部１６３を閉状態にする。さらに、接続制御部１１１は、電力供給部１５３を制御して、ＶＢＵＳ１５７への直流電流の供給を開始させる。
ステップＳ２１の後に、再接続処理を実行する理由は、ステップＳ２１で実行する投射部１０の初期化の中で、高電圧駆動を行う光源用の点灯時に発生するイグニッションノイズにより誘発されやすい接続障害を回避することを主目的としており、その他に、ステップＳ１３で接続検出後にシステムセットアップ（ステップＳ１５）を実行しているのは、接続検出を早めに行うことで、システム起動から入力される画像信号が投射されるまでの時間短縮を図る目的もある。プロジェクター１のシステム構成により、上記懸念がない場合には、ステップＳ１５、Ｓ１９及びＳ２１の処理を、ステップＳ１２で同時に実行してもよい。
【００５９】
接続制御部１１１は、受信部１２１を制御して、受信部１２１をＭＨＬモードに切り替えさせる（ステップＳ２５）。その後、受信部１２１は、コネクター１２２から入力される画像信号を受信して、画像データを画像処理部１３１に出力する（ステップＳ２６）。投射制御部１１２は、投射部１０及び画像処理部１３１を制御して、受信部１２１から画像処理部１３１に入力される画像データに基づき、投射部１０によって画像を投射させる。接続制御部１１１は本処理を終了する。
【００６０】
ステップＳ１７またはＳ２６で投射を開始して、図４の処理を終了した場合、投射制御部１１２は、投射部１０による画像の投射を継続する。また、ステップＳ１９で図４の処理を終了した場合、接続制御部１１１は、コネクター１２２、１２３にケーブル３０、４０が接続されるのを待つ待機状態に移行する。
【００６１】
図４の例では、プロジェクター１の電源投入後に受信部１２１の接続を検出し、ＭＨＬ接続を検出した場合に再接続動作を行う場合を説明した。このほかに、操作パネルまたはリモコンの操作によって、再接続動作の実行が指示されたときに、接続制御部１１１が再接続動作（図４のステップＳ１８、Ｓ２２〜Ｓ２６）を実行してもよい。この場合、ユーザーが任意のタイミングで再接続動作を実行させて、ケーブル３０を挿抜することなく、ネゴシエーションをやり直させることができる。
【００６２】
以上説明したように、本発明を適用した実施形態では、携帯端末２と接続されてプロジェクションシステム３を構成するプロジェクター１が、受信部１２１、及び接続制御部１１１を備える。受信部１２１は、携帯端末２に接続され、携帯端末２から画像信号及び制御信号を受信する。接続制御部１１１は、受信部１２１を、受信部１２１に携帯端末２が接続されていないと認識される第１の状態に遷移させた後に、受信部１２１に携帯端末２が接続されると認識される第２の状態に受信部を遷移させる再接続動作を行う。これにより、再接続動作を実行して、接続の解消および再接続をした場合と同じ状態にすることができる。従って、例えば、ケーブルによって携帯端末２に有線接続され、接続を検出可能な装置では、ケーブルを挿抜した場合と同様の効果が得られる。これにより、接続の検出に失敗した場合や接続が不安定になった場合に、ユーザーの作業を伴わずに、正常な接続状態に復帰できる。
【００６３】
受信部１２１は、画像信号を受信する差動信号受信部１５１と、携帯端末２と信号を通信する装置間通信部１５２と、携帯端末２に電力を供給する電力供給部１５３とを有する。つまり、携帯端末２と信号を送受信し、携帯端末２に電力を供給する機能を備えるプロジェクター１において、接続の検出に失敗した場合や接続が不安定になった場合に、速やかに正常な接続状態にすることができる。また、差動信号受信部１５１は画像信号と音声信号とを受信することもできる。
接続制御部１１１は、再接続動作で差動信号受信部１５１及び装置間通信部１５２の少なくとも一方を第１の状態及び第２の状態に遷移させ、接続の解消および再接続をした場合と同じ状態を、容易に作り出すことができる。
また、接続制御部１１１は、第１の状態で電力供給部１５３による電力供給を停止させ、第２の状態で電力供給部１５３に電力を供給させることで、接続の解消および再接続をした場合と同じ状態を実現できる。
【００６４】
また、接続制御部１１１は、第１の状態で差動信号受信部１５１、装置間通信部１５２、及び、電力供給部１５３とケーブル３０との接続を電気的にオープンにするので、携帯端末２に有線接続された状態で、接続の解消および再接続をした場合と同じ状態を確実に実現できる。
また、差動信号受信部１５１及び装置間通信部１５２の状態に基づいて、携帯端末２の接続を検知する接続検知部１０５を備えるので、受信部１２１に外部装置が接続された場合に必要な再接続動作を行える。このため、不要な再接続動作を実行せずに済むので、効率化を図ることができる。
また、接続制御部１１１は、接続状態の検出状態に基づいて再接続動作を実行するので、必要に応じて再接続動作を行うことができる。
また、接続制御部１１１は、動作開始時に再接続動作を実行するので、ネゴシエーションが不完全になりやすい動作開始時に、携帯端末２への接続をいったん切断して再接続することで、確実に正常な接続状態で、動作を開始できる。例えば、接続制御部１１１は、プロジェクター１の電源がオフの状態から、電源がオンにされ、この電源投入によってプロジェクター１の各部が動作を開始する際に、再接続動作を実行する。また、プロジェクター１が、電源が給電されていて動作を停止している状態にあって、この状態から通常動作に復帰する際に、再接続動作を実行してもよい。動作を停止している状態とは、例えば、通常動作時（例えば、画像の投射中）よりも消費電力が少ない省電力状態が挙げられる。また、プロジェクター１が、一定時間操作されない場合に、制御部１１０を含む一部のみが給電されて他の部分（投射部１０等）への給電が停止するスリープ状態を有する場合、このスリープ状態からの復帰時に再接続動作を行ってもよい。さらに、プロジェクター１が、スリープ状態よりも給電される部分が少ないスタンバイ状態を有する場合、スタンバイ状態からの復帰時に再接続動作を行ってもよい。
これにより、異常な動作の発生前に、携帯端末２とプロジェクター１との接続を正常化でき、信頼性の向上を図ることができる。
また、接続制御部１１１は、入力部１０３で検出された入力に従って再接続動作を実行するので、入力により再接続動作を実行させることができる。
【００６５】
なお、上述した実施形態は本発明を適用した具体的態様の例に過ぎず、本発明を限定するものではなく、上記実施形態とは異なる態様として本発明を適用することも可能である。上記実施形態では、インターフェイス部３２と受信部１２１とが、ＭＨＬ規格に適合する方法で接続される構成を例に挙げて説明したが、本発明はこれに限定されない。受信部１２１が、画像データまたは画像データをエンコードした画像信号を送出する外部装置に接続されたことを、制御部１１０が検出可能な構成であれば本発明を適用可能である。さらに、受信部１２１が、画像データまたは画像データをエンコードした画像信号を送出する外部装置に対し、電力を供給する構成であれば、より好適に本発明を適用できる。
また、上記実施形態では、ケーブル３０、４０により携帯端末２や他の外部装置に有線接続されるプロジェクター１を例に挙げて説明した。本発明はこれに限定されない。例えば、受信部１２１が無線通信手段により、携帯端末２や他の外部装置と接続される構成にも適用できる。具体的には、受信部１２１が、ＷｉＨＤ（登録商標）やＭＩＲＡＣＡＳＴ（登録商標）等の無線通信規格に適合した方法で、画像データを受信する構成に適用できる。この場合、接続制御部１１１は、受信部１２１が無線通信により携帯端末２に接続されたことを検出して、再接続動作を実行すればよい。この再接続動作では、いったん接続を切断し、再び、受信部１２１を無線通信により携帯端末２に接続させればよい。
また、上記実施形態では、プロジェクター１の電源投入時、及び、入力部１０３が入力を検出した場合に、再接続動作を実行する例について説明したが、本発明はこれに限定されない。例えば、接続制御部１１１に対して再接続動作を実行する条件が予め設定され、接続制御部１１１が、接続検知部１０５の検知状態に基づいて、条件に適合すると判定した場合に、再接続動作を行ってもよい。
また、上記実施形態では、再接続動作において、スイッチ部１６１、１６２、１６３の全てを開状態にする例を説明したが、少なくとも差動信号受信部１５１と装置間通信部１５２のいずれかについて、コネクター１２２との接続をオープンにすればよい。すなわち、制御部１１０が、携帯端末２が接続されていないと認識する状態になればよい。また、携帯端末２において、インターフェイス部３２にプロジェクター１が接続されていないと認識される状態であれば、なお好ましい。従って、スイッチ部１６１、１６２のいずれか一方のみを開状態にしてもよい。また、スイッチ部１６１、１６２を開状態にしてスイッチ部１６３を閉状態にしてもよい。
【００６６】
また、上記実施形態では、インターフェイス部１０１が、受信部１２１と、インターフェイス１２５、１２６とを備える構成を例に挙げて説明したが、インターフェイス部１０１は受信部１２１のみを備える構成としてもよい。また、受信部１２１は、ＨＤＭＩ／ＭＨＬレシーバーに限定されず、ＭＨＬを含む単一の方法に対応した機能部であってもよい。また、プロジェクター１に接続される外部装置は携帯端末２に限定されず、画像データをプロジェクター１に供給する画像供給装置であればよい。
図１に示したプロジェクションシステム３の各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクションシステム３の他の各部の具体的な細部構成についても、本発明の趣旨を逸脱しない範囲で任意に変更可能である。
【符号の説明】
【００６７】
１…プロジェクター（表示装置）、２…携帯端末（外部装置）、３…プロジェクションシステム、１０…投射部（表示部）、３０、４０…ケーブル、３１…制御部、３２、３２ａ…インターフェイス部、３３、３３ａ…コネクター、１０１…インターフェイス部、１０２…記憶部、１０３…入力部、１０５…接続検知部（検知部）、１０７…電源部、１１０…制御部、１１１…接続制御部（制御部）、１１２…投射制御部、１２１…受信部（接続部）、１２２、１２３…コネクター、１３１…画像処理部、１５１…差動信号受信部（信号受信部）、１５２…装置間通信部、１５３…電力供給部、１５５…ＴＭＤＳクロック/データ線、１５６…ＣＢＵＳ、１５７…ＶＢＵＳ、１６１、１６２、１６３…スイッチ部、ＳＣ…スクリーン。
【図１】
2015162853.tif 000003
【図２】
2015162853.tif 000004
【図３】
2015162853.tif 000005
【図４】
2015162853.tif 000006